(57)【要約】効率的にＷＬＡＮを探索する技術が記述される。端末は、セルラ・ネットワークまたはブロードキャスト・ネットワークでありうる無線広域ネットワーク（ＷＷＡＮ）から国情報を受信する。国情報は、ＷＷＡＮによってブロードキャストされたモバイル国コード（ＭＣＣ）でありうる。ＭＣＣは、ＷＷＡＮが展開されている国を識別する。そして、端末は、ＷＷＡＮから受信した国情報に基づいて、ＷＬＡＮを求めるアクティブ・スキャンを行なう。アクティブ・スキャンの場合、端末は、国情報に基づいて、周波数チャネルおよび送信電力レベルを決定する。そして、端末は、国情報に基づいて決定された周波数チャネルおよび送信電力レベルでプローブ要求を送信する。端末は、スキャン・セッティングに従って、パッシブ・スキャンおよび／またはアクティブ・スキャンを実行することができる。
2009533905.tif 000002
【特許請求の範囲】
【請求項１】
無線広域ネットワーク（ＷＷＡＮ）から国情報を受信し、かつ、前記ＷＷＡＮから受信した国情報に基づいて、無線ローカル・エリア・ネットワーク（ＷＬＡＮ）を求めるアクティブ・スキャンを実行するように構成された少なくとも１つのプロセッサと、
前記少なくとも１つのプロセッサに接続されたメモリと
を備える装置。
【請求項２】
前記少なくとも１つのプロセッサは、前記国情報に基づいて、周波数チャネルおよび送信電力レベルを決定し、かつ、前記国情報に基づいて決定された周波数チャネルおよび送信電力レベルにおいてプローブ要求を送信するように構成された請求項１に記載の装置。
【請求項３】
前記少なくとも１つのプロセッサは、前記国情報が利用可能な場合には、パッシブ・スキャンを実行することなく、アクティブ・スキャンを実行するように構成された請求項１に記載の装置。
【請求項４】
前記少なくとも１つのプロセッサは、第１のスキャン・セッティングに対してパッシブ・スキャンを実行し、前記国情報が利用可能な場合、第２のスキャン・セッティングに対して、前記パッシブ・スキャンを実行することなく、前記アクティブ・スキャンを実行するように構成された請求項１に記載の装置。
【請求項５】
前記少なくとも１つのプロセッサは、前記国情報に基づいて周波数ホッピング・パターンを決定するように構成された請求項１に記載の装置。
【請求項６】
前記国情報は、前記ＷＷＡＮから受信したモバイル国コード（ＭＣＣ）を備える請求項１に記載の装置。
【請求項７】
前記ＷＷＡＮは、符号分割多元接続（ＣＤＭＡ）ネットワークであり、
前記少なくとも１つのプロセッサは、前記ＣＤＭＡネットワークから、同期チャネル・メッセージ、システム・パラメータ・メッセージ、または拡張システム・パラメータ・メッセージを受信し、前記受信したメッセージから前記ＭＣＣを抽出するように構成された請求項６に記載の装置。
【請求項８】
前記ＷＷＡＮは、グローバル移動体通信システム（ＧＳＭ）ネットワークであり、
前記少なくとも１つのプロセッサは、前記ＧＳＭネットワークからシステム情報タイプ３メッセージを受信し、前記受信したメッセージから前記ＭＣＣを抽出するように構成された請求項６に記載の装置。
【請求項９】
前記ＷＷＡＮは、ユニバーサル・モバイル・テレコミュニケーション・システム（ＵＭＴＳ）ネットワークであり、
前記少なくとも１つのプロセッサは、前記ＵＭＴＳネットワークからシステム情報メッセージを受信し、かつ、前記受信したメッセージから前記ＭＣＣを抽出するように構成された請求項６に記載の装置。
【請求項１０】
前記ＷＷＡＮはブロードキャスト・ネットワークである請求項１に記載の装置。
【請求項１１】
無線広域ネットワーク（ＷＷＡＮ）から国情報を受信することと、
前記ＷＷＡＮから受信した国情報に基づいて、無線ローカル・エリア・ネットワーク（ＷＬＡＮ）を求めるアクティブ・スキャンを実行することと
を備える方法。
【請求項１２】
前記国情報を受信することは、前記ＷＷＡＮからモバイル国コード（ＭＣＣ）を受信することを備える請求項１１に記載の方法。
【請求項１３】
前記ＷＬＡＮを求めるアクティブ・スキャンを実行することは、
前記国情報に基づいて、周波数チャネルおよび送信電力レベルを決定することと、
前記国情報に基づいて決定された周波数チャネルおよび送信電力レベルにおいてプローブ要求を送信することと
を備える請求項１１に記載の方法。
【請求項１４】
前記国情報に基づいて周波数ホッピング・パターンを決定することを更に備える請求項１１に記載の方法。
【請求項１５】
前記ＷＬＡＮを求めるアクティブ・スキャンを実行することは、前記国情報が利用可能な場合には、パッシブ・スキャンを実行することなく、前記アクティブ・スキャンを実行することを備える請求項１１に記載の方法。
【請求項１６】
無線広域ネットワーク（ＷＷＡＮ）から国情報を受信する手段と、
前記ＷＷＡＮから受信した国情報に基づいて、無線ローカル・エリア・ネットワーク（ＷＬＡＮ）を求めるアクティブ・スキャンを実行する手段と
を備える装置。
【請求項１７】
前記国情報を受信する手段は、前記ＷＷＡＮからモバイル国コード（ＭＣＣ）を受信する手段を備える請求項１６に記載の装置。
【請求項１８】
前記ＷＬＡＮを求めるアクティブ・スキャンを実行する手段は、
前記国情報に基づいて、周波数チャネルおよび送信電力レベルを決定する手段と、
前記国情報に基づいて決定された周波数チャネルおよび送信電力レベルにおいてプローブ要求を送信する手段と
を備える請求項１６に記載の装置。
【請求項１９】
前記国情報に基づいて周波数ホッピング・パターンを決定する手段を更に備える請求項１６に記載の装置。
【請求項２０】
前記ＷＬＡＮを求めるアクティブ・スキャンを実行する手段は、前記国情報が利用可能な場合には、パッシブ・スキャンを実行することなく、前記アクティブ・スキャンを実行する手段を備える請求項１６に記載の装置。
【請求項２１】
装置であって、
無線広域ネットワーク（ＷＷＡＮ）を経由して国情報を取得し、かつ、前記ＷＷＡＮを経由して取得した国情報に基づいて、無線ローカル・エリア・ネットワーク（ＷＬＡＮ）または無線パーソナル・エリア・ネットワーク（ＷＰＡＮ）における前記装置の動作を制御するように構成された少なくとも１つのプロセッサと、
前記少なくとも１つのプロセッサに接続されたメモリと
を備える装置。
【請求項２２】
前記少なくとも１つのプロセッサは、前記ＷＷＡＮから受信したモバイル国コード（ＭＣＣ）から前記国情報を取得するように構成された請求項２１に記載の装置。
【請求項２３】
前記少なくとも１つのプロセッサは、前記ＷＷＡＮを経由して、前記装置のための位置推定値を取得し、かつ、前記位置推定値に基づいて、前記国情報を取得するように構成された請求項２１に記載の装置。
【請求項２４】
前記少なくとも１つのプロセッサは、前記国情報に基づいて、前記ＷＬＡＮまたはＷＡＰＡＮの動作の周波数範囲を決定するように構成された請求項２１に記載の装置。
【請求項２５】
前記少なくとも１つのプロセッサは、前記国情報に基づいて、前記ＷＬＡＮまたはＷＡＰＮのための送信電力レベルを決定するように構成された請求項２１に記載の装置。
【請求項２６】
前記少なくとも１つのプロセッサは、前記国情報に基づいて、前記ＷＬＡＮまたはＷＰＡＮのための周波数ホッピング・パターンを決定するように構成された請求項２１に記載の装置。
【請求項２７】
前記少なくとも１つのプロセッサは、前記国情報に基づいて、前記ＷＬＡＮを求めるアクティブ・スキャンを実行するように構成された請求項２１に記載の装置。
【請求項２８】
無線広域ネットワーク（ＷＷＡＮ）を経由して国情報を取得することと、
前記ＷＷＡＮを経由して取得した国情報に基づいて、無線ローカル・エリア・ネットワーク（ＷＬＡＮ）または無線パーソナル・エリア・ネットワーク（ＷＰＡＮ）における端末の動作を制御することと
を備える方法。
【請求項２９】
前記国情報を取得することは、前記ＷＷＡＮからモバイル国コード（ＭＣＣ）を受信することを備える請求項２８に記載の方法。
【請求項３０】
前記端末の動作を制御することは、前記国情報に基づいて、前記ＷＬＡＮまたはＷＰＡＮのための動作の周波数範囲、送信電力レベル、周波数ホッピング・パターン、またはこれらの組み合わせを決定することを備える請求項２８に記載の方法。
【請求項３１】
装置であって、
無線広域ネットワーク（ＷＷＡＮ）を経由して国情報を取得する手段と、
前記ＷＷＡＮを経由して取得した国情報に基づいて、無線ローカル・エリア・ネットワーク（ＷＬＡＮ）または無線パーソナル・エリア・ネットワーク（ＷＰＡＮ）における前記装置の動作を制御する手段と
を備える装置。
【請求項３２】
前記国情報を取得する手段は、前記ＷＷＡＮからモバイル国コード（ＭＣＣ）を受信する手段を備える請求項３１に記載の装置。
【請求項３３】
前記装置の動作を制御する手段は、前記国情報に基づいて、前記ＷＬＡＮまたはＷＰＡＮのための動作の周波数範囲、送信電力レベル、周波数ホッピング・パターン、またはこれらの組み合わせを決定する手段を備える請求項３１に記載の装置。
【発明の詳細な説明】
【技術分野】
【０００１】
本開示は、一般に通信に関し、更に詳しくは、無線ローカル・エリア・ネットワーク（ＷＬＡＮ）を求めてスキャンする技術に関する。
【背景技術】
【０００２】
ＷＬＡＮは、コンピュータ、セルラ電話等でありうる端末のための無線通信をサポートするために広く展開している。ＷＬＡＮは、例えばオフィス・ビル、コーヒー店、モール、空港、およびデータ利用が高いと予想されるその他のホット・スポットのような様々な場所において展開されている。ＷＬＡＮによって、端末は、実質的に世界中の何れからの（例えばインターネットへの）データ接続も得ることが可能となる。
【０００３】
多くのＷＬＡＮはＩＥＥＥ  ８０２．１１を実装する。これは、電気電子学会（ＩＥＥＥ）によって発布された規格のファミリーである。ＩＥＥＥ  ８０２．１１規格は、アクセス・ポイントと端末、および複数の端末間の無線インタフェースの仕様を定める。現在、８０２．１１ａ規格、８０２．１１ｂ規格、および８０２．１１ｇ規格が広く用いられている。各ＩＥＥＥ  ８０２．１１規格は、１または複数の変調技術を使用して、特定の周波数帯域（例えば２．４ＧＨｚあるいは５ＧＨｚ）における動作の仕様を定める。以下の説明では、ＷＬＡＮはＩＥＥＥ  ８０２．１１を実装していると仮定される。
【０００４】
端末は、電源が投入されると常に、ＷＬＡＮを探索するように構成されうる。この探索は、アクティブ・スキャンあるいはパッシブ・スキャンを行なうことにより達成されうる。アクティブ・スキャンの場合、端末は、プローブ要求を送信し、プローブ応答がＷＬＡＮの存在を検出するのを待つ。パッシブ・スキャンの場合、端末は、ＷＬＡＮ内のアクセス・ポイントによって送信されたビーコンを探索する。ビーコンは、ＷＬＡＮのための関連情報を含んでいる既知の送信である。アクティブ・スキャンは、一般に、バッテリ電力をあまり消費しないが、プローブ要求が規制要件に従って送信されるように、端末が、規制情報を持っていることを必要とする。異なる国々は、端末の送信電力レベルのみならず、ＷＬＡＮが動作可能な周波数範囲について異なる規制要件を課すことができる。パッシブ・スキャンは、一般に、バッテリ電力を多く消費するが、規制情報を必要としない。全ての国々の規制要件に準拠するために、８０２．１１ｄは、端末が、自分が位置している国を知らない場合には、端末がまずパッシブ・スキャンを実行することを要求する。
【０００５】
できるだけ少ないバッテリ電力でＷＬＡＮを発見することが望ましい。従って、当該技術では、ＷＬＡＮを効率的に探索する技術に対する必要性がある。
【発明の開示】
【発明の概要】
【０００６】
本明細書では、無線広域ネットワーク（ＷＷＡＮ）からの国情報に基づいて、ＷＬＡＮを効率的に探索する技術が記述される。実施形態では、端末が、セルラ・ネットワークまたはブロードキャスト・ネットワークでありうるＷＷＡＮから、国情報を受信する。この端末は、例えば、電源が投入された場合、ＷＬＡＮからの有効範囲を喪失した場合、ローミング中にＷＷＡＮとＷＬＡＮとの間でハンドオフした場合等において、国情報を受信することができる。国情報は、ＷＷＡＮによってブロードキャストされるモバイル国コード（ＭＣＣ）を備えうる。ＭＣＣは、ＷＷＡＮが展開されている国を識別する。その後、端末は、ＷＷＡＮから受信した国情報に基づいて、ＷＬＡＮを求めるアクティブ・スキャンを実行する。アクティブ・スキャンの場合、端末は、国情報に基づいて、周波数チャネルと送信電力レベルとを決定する。その後、端末は、国情報に基づいて決定された周波数チャネルと送信電力レベルにおいて、プローブ要求／アクセス・プローブを送信する。
【０００７】
実施形態では、端末は、スキャン・セッティングを用いて設定され、このスキャン・セッティングに従ってパッシブ・スキャンおよび／またはアクティブ・スキャンを実行する。スキャン・セッティングは、端末に対してパッシブ・スキャンを実行するように命令することができる。あるいは、スキャン・セッティングは、国情報が利用可能な場合、端末がパッシブ・スキャンなしでアクティブ・スキャンを実行することを可能にすることができる。
【０００８】
本明細書に記載された技術はまた、ＷＷＡＮを経由して取得された国情報に基づいて、ＷＬＡＮまたは無線パーソナル・エリア・ネットワーク（ＷＰＡＮ）（例えば、ブルートゥース（登録商標）ネットワーク）内の端末の動作を制御するために使用することができる。例えば、端末は、国情報に基づいて、ＷＬＡＮおよび／またはＷＰＡＮのための周波数範囲および／または送信電力レベルを決定することができる。端末は、国情報に基づいて、ＷＬＡＮを求めるアクティブ・スキャンを実行することができる。端末は更に、国情報に基づいて、ブルートゥース（登録商標）ネットワークのための周波数範囲、周波数ホッピング・パターンまたはシーケンスを選択することもできる。
【０００９】
本発明の種々の局面および実施形態が、以下に更に詳細に記述される。
【詳細な説明】
【００１０】
本発明の特徴および本質は、全体を通じて同一の参照符号が同じものを特定している図面と連携した場合、以下に述べる詳細記述からより明らかになるだろう。
【００１１】
用語「典型的な」（"exemplary"）は、本明細書において、「例、事例、または例示として役立つ」ことを意味するために使用される。本明細書で「典型的な」と記載されているどの実施形態または設計も、その他の実施形態または設計よりも好適であるとか有利であるとか必ずしも解釈される必要はない。
【００１２】
図１は、地理的エリア内における無線広域ネットワーク（ＷＷＡＮ）１１０、無線ローカル・エリア・ネットワーク（ＷＬＡＮ）１２０、および無線パーソナル・エリア・ネットワーク（ＷＰＡＮ）１３０，１４０の配置を示す。
【００１３】
ＷＷＡＮは、例えば都市、州、または国全体のような大規模な地理的エリアのために通信有効範囲を提供する無線ネットワークである。ＷＷＡＮは、セルラ・ネットワーク、ブロードキャスト・ネットワーク等でありうる。ＷＷＡＮ１１０は、例えば（１）ＩＳ−９５、ＩＳ−２０００、ＩＳ−８５６、および／またはその他幾つかの符号分割多元接続（ＣＤＭＡ）規格を実施するＣＤＭＡネットワーク、（２）広帯域ＣＤＭＡ（Ｗ−ＣＤＭＡ）を実施するユニバーサル・モバイル・テレコミュニケーション・システム（ＵＭＴＳ）ネットワーク、（３）グローバル移動体通信システム（ＧＳＭ）ネットワーク、または（４）その他の幾つかのセルラ・ネットワークのようなセルラ・ネットワークでありうる。ＷＷＡＮ１１０はまた、地上ブロードキャスト・ネットワークまたはその他幾つかのブロードキャスト・ネットワークでもありうる。ＷＷＡＮ１１０は、一般に、ＷＷＡＮの有効範囲エリア内の端末のための通信をサポートする多くの基地局１１２を含む。簡略のために、図１には２つの基地局１１２しか示されていない。基地局は、一般に、端末と通信する固定局であり、基地トランシーバ局（ＢＴＳ）、Ｎｏｄｅ  Ｂ、またはその他の用語で呼ぶことができる。
【００１４】
ＷＬＡＮは、例えばビルディング、モール、空港等のような中間的な地理的エリアのために通信有効範囲を提供する無線ネットワークである。ＷＬＡＮ１２０は、任意の数のＷＬＡＮ端末のための無線通信をサポートする任意の数のアクセス・ポイントを含みうる。簡略のために、図１には１つのアクセス・ポイント１２２と３つの端末１２４、１３２、１４２しか示されていない。ＷＬＡＮ端末はまた、ピア・トゥ・ピア通信を経由して互いに直接的に通信することもできる。
【００１５】
ＷＰＡＮは、小さな地理的エリア（例えば、家庭、ビルディング等）のために通信有効範囲を与える無線ネットワークである。ＷＰＡＮ１３０は、端末１３２とヘッドセット１３４との間の通信をサポートする。ＷＰＡＮ１４０は、端末１４２とマウス１４４との間の無線接続を提供する。一般に、ＷＰＡＮはそれぞれ、任意数の通信デバイスを含みうる。ＷＰＡＮ１３０および１４０は、ＩＥＥＥ  ８０２．１５規格として採用される短距離無線通信技術であるブルートゥース（登録商標）を実装することができる。
【００１６】
端末は、１または複数の無線ネットワークと通信することができる。図１に示す例の場合、端末１２４は、ＷＷＡＮ１１０およびＷＬＡＮ１２０と通信することができ、端末１３２は、ＷＷＡＮ１１０、ＷＬＡＮ１２０、およびＷＰＡＮ１３０と通信することができ、端末１４２は、ＷＷＡＮ１１０、ＷＬＡＮ１２０、およびＷＰＡＮ１４０と通信することができる。従って、所与の端末は、ブルートゥース・デバイスのみならず、ＷＷＡＮデバイス（例えば、セルラ電話）、ＷＬＡＮ局でありうる。端末はまた、移動局、アクセス端末、ユーザ端末、ユーザ設備、モバイル機器、局、加入者ユニット、あるいはその他の幾つかの用語で呼ばれることができる。端末は、セルラ電話、ラップトップ・コンピュータ、無線デバイス、携帯情報端末（ＰＤＡ）、無線モデム、ハンドセット等でありうる。
【００１７】
ＷＬＡＮ１２０は、１または複数のＩＥＥＥ  ８０２．１１規格を実装し、世界の何れかの地域で展開されている。８０２．１１ｂおよび８０２．１１ｇは、２．４ＧＨｚ帯域で動作し、２４００ＭＨｚから２４９５ＭＨｚへの周波数スペクトルを、チャネル１から１４の番号が振られた１４の不安定でオーバラップする周波数チャネルへ分割する。表１は、１４の周波数チャネルとそれらの中心周波数をリストしている。各周波数チャネルは、２２ＭＨｚの３ｄＢ帯域幅を持っている。表１はまた、異なる規制領域で使用可能な周波数チャネルもリストしている。規制領域は、１または複数の国のためのＩＥＥＥ  ８０２．１１動作を規制しうる。表１において、１つのカラムが、各規制領域のために与えられ、その規制領域によってサポートされる各周波数チャネルは、“Ｘ"で印される。例えば、周波数チャネル１〜１１は、米国でサポートされている。表１は、８０２．１１ｂ規格で与えられる。
【表１】
2009533905.tif 000003
【００１８】
表２は、幾つかの規制領域によって課されたＷＬＡＮ局のための送信電力レベルに関する制約をリストしている。ＷＬＡＮ局は、端末またはアクセス・ポイントでありうる。表２もまた、８０２．１１ｂ規格で与えられる。
【表２】
2009533905.tif 000004
【００１９】
表１および表２は、２．４ＧＨｚ帯域のための周波数要件および送信電力要件を与える５ＧＨｚ帯域のための周波数要件および送信電力要件は、８０２．１１ａで与えられる。他の国々は、ＩＥＥＥ８０２．１１規格でカバーされないその他の送信チャネルおよび／または送信電力レベルを使用することができる。従って、表１および表２は、本明細書で記述された技術が使用されうる全ての国を網羅しているのではない。
【００２０】
幾つかのＩＥＥＥ８０２．１１規格（例えば８０２．１１および８０２．１１ｂ）は、周波数ホッピングをサポートする。各規制領域の周波数ホッピング・パターンは、その規制領域に利用可能な周波数チャネルによって決定される。
【００２１】
ＷＬＡＮ端末は、異なる規制領域を横切る動作のためにイネーブルされうる。この特徴は、異なる規制領域によって管理される異なる国々へ移動するモバイル端末にとって特に好ましい。規制要件に準拠するために、端末は、アクセス・ポイントまたは他の端末へ送信する前に位置していた国を確認することが求められる。ＩＥＥＥ８０２．１１は、規制情報をＷＬＡＮ端末へ配信するメカニズムを提供する。
【００２２】
図２は、図１におけるＷＬＡＮ１２０のための典型的な送信スケジュール２００を示す。ＷＬＡＮ１２０内のアクセス・ポイント１２２は、アクセス・ポイントによってカバーされる全ての送信のためのスケジュールを保持する。アクセス・ポイント１２２は、ＷＬＡＮ１２０のための様々なタイプの情報を伝えるビーコンを定期的に送信する。ビーコンは、ターゲット・ビーコン送信時間（ＴＢＴＴ）において送信される。ＴＢＴＴ間の時間間隔は、一般に、所与の瞬間において、１つのＷＬＡＮ局のみが無線チャネル上で送信するコンテンション・フリー期間（ＣＦＰ）と、１より多くのＷＬＡＮ局が、無線チャネル上で同時に送信するコンテンション期間（ＣＰ）とを含む。
【００２３】
図３は、アクセス・ポイント１２２によって定期的に送信されるビーコン・フレームのフォーマットを示す。ビーコン・フレームは、アクセス・ポイントのタイミングを示すタイムスタンプ・フィールドと、ＴＢＴＴ間の時間持続を示すビーコン間隔フィールドと、アクセス・ポイントの要求されたまたは広告された機能を示す機能情報フィールドと、ＷＬＡＮの識別子を伝送するサービス・セット・アイデンティティ（ＳＳＩＤ）フィールドと、例えば国情報要素のような様々な情報要素とを含む。
【００２４】
図３は、国情報要素のフォーマットをも示す。この情報要素は、「７」に設定される要素ＩＤフィールドと、情報要素の長さを示す長さフィールドと、アクセス・ポイントが存在する国を示す国文字列フィールドと、情報要素に記述されたサブ帯域内の最低チャネル番号を示す第１のチャネル番号フィールドと、サブ帯域内の周波数チャネルの数を示すチャネル数フィールドと、送信が許可されている最大電力を示す最大送信電力レベル・フィールドとを含む。第１のチャネル番号フィールド、チャネル数フィールド、および最大送信電力レベル・フィールドは、周波数チャネルの別のブロックとは隣接していない連続的な周波数チャネルのブロックである各サブ帯域に提供される。
【００２５】
８０２．１１ｄは、規制領域を横切る動作のためにイネーブルされた端末の動作を規定している。端末は、ＷＬＡＮ１２０でありうる拡張サービス・セット（ＥＳＳ）との接続を失った場合、パッシブ・スキャンするようデフォルト設定されていることが要求される。ＥＳＳは、基本サービス・セット（ＢＳＳ）をバックボーン・ネットワークと結びつけることによって形成される任意のサイズからなる無線ネットワークである。ＢＳＳは、互いに通信する局のグループ（例えば、アクセス・ポイントと端末）である。８０２．１１ｄは、８０２．１１フレームが検出された少なくとも１つの有効な周波数チャネルを学習するために、端末に対して、パッシブにスキャンすることを求める。有効な周波数チャネルから、端末は、図３に示すように、規制領域のために使用されるべき周波数チャネル、最大許容送信電力、および国コードに関する情報を含むビーコン・フレームを受信することができる。このような規制情報を取得すると、端末は、規制領域における動作のために、物理レイヤを設定する。端末はその後、適切な周波数チャネルおよび適切な送信電力レベルで、プローブ要求をアクセス・ポイントへ送信することができる。
【００２６】
（例えば、電源投入時に）パッシブ・スキャンを要求することは、端末が、適用可能な規制領域の要件を満たすことを保証する。しかしながら、パッシブ・スキャンは、バッテリ電力を消費し、もって、ＷＬＡＮにアクセスする際の遅延が長くなる。これらは何れも望ましくない。
【００２７】
実施形態では、ＷＷＡＮ（例えば、セルラ・ネットワーク）と通信することが可能な端末は、ＷＷＡＮから国情報を受信することができる。端末は、端末が位置する国を確認するため、および、その国で利用可能な周波数チャネルおよび最大送信電力レベルを決定するために、この国情報を用いることができる。その後、端末は、パッシブ・スキャンをバイパスする。そして、ＷＬＡＮにアクセスするために、直ちにアクティブ・スキャンを実行することができる。アクティブ・スキャンの場合、端末は、適切な周波数チャネルおよび適切な送信電力レベルで、アクセス・ポイントへプローブ要求を送信することができる。パッシブ・スキャンを実行する必要なく、直ちにアクティブ・スキャンを実行する能力により、バッテリ電力を節約し、更に、アクセス時間を短縮することができる。
【００２８】
端末は、セルラ・ネットワーク内の基地局によってブロードキャストされたモバイル国コード（ＭＣＣ）に基づいて、国情報を取得することができる。ＭＣＣは、セルラ・ネットワークが展開されている国を識別する３桁のコードとして、国際電気通信連合（ＩＴＵ）によって定義されている。各国は、ＩＴＵによって、公的に利用可能なＲｅｃｏｍｍｅｎｄａｔｉｏｎ  Ｅ．２１２において、ＩＴＵによって１または複数のユニークなＭＣＣ値が割り当てられる。例えば、米国は、３１０〜３１６（１０進法）のＭＣＣ値が割り当てられる。ＭＣＣは、異なるセルラ・ネットワークによって、異なる方式でブロードキャストされる。
【００２９】
ＩＳ−９５、ＩＳ−２０００、およびＩＳ−８５６をカバーするｃｄｍａ２０００を実装するＣＤＭＡネットワークの場合、基地局はそれぞれ、ＭＣＣとネットワーク・オペレータ・コード（ＮＯＣ）とからなるネットワーク・オペレータ識別子をブロードキャストする。ＮＯＣは、ＩＴＵによって定義され国際モバイル加入者アイデンティティ（ＩＭＳＩ）のために使用されるモバイル・ネットワーク・コード（ＭＮＣ）でありうる。基地局は、例えば、同期チャネル上の同期チャネル・メッセージ、ページング・チャネル上のシステム・パラメータ・メッセージ、またはページング・チャネル上の拡張システム・パラメータ・メッセージのような様々なシグナリング／オーバヘッド・メッセージでＭＣＣをブロードキャストすることができる。
【００３０】
図４は、ＩＳ−９５およびＩＳ−２０００によって定義される拡張システム・パラメータ・メッセージにおけるＭＣＣの送信を示す。拡張システム・パラメータ・メッセージは、多くのフィールドを持っている。そのうちの１つはＭＣＣフィールドである。ＭＣＣフィールドは、必須のフィールドであり、ＣＤＭＡネットワーク内の基地局によって送信される拡張システム・パラメータ・メッセージの各々に含まれる。１０ビットのＭＣＣフィールドは、送信している基地局が位置している国を示す３桁のＭＣＣ値を搬送する。ＭＣＣフィールドの３桁のＭＣＣ値を、１０ビットのバイナリ値に符号化することは、"Upper Layer (Layer 3) Signaling Standard for cdma2000 Spread Spectrum Systems,"セクション２．３と題され、公的に利用可能な３ＧＰＰ２  Ｃ．Ｓ０００５−Ｃに記載されている。
【００３１】
ＧＳＭネットワークの場合、各基地局は、システム情報タイプ３メッセージを、ブロードキャスト制御チャネル（ＢＣＣＨ）上で規則的にブロードキャストする。このメッセージは、ＧＳＭネットワークについて、３桁のＭＣＣ値と、３桁のＭＮＣ値とを伝送するロケーション・エリア識別情報要素を含む。システム情報タイプ３メッセージとロケーション・エリア識別情報要素は、公的に利用可能である３ＧＰＰ  ＴＳ  ０４．１８と、３ＧＰＰ  ＴＳ  ２４．００８とにそれぞれ記載されている。
【００３２】
ＵＭＴＳネットワークの場合、基地局はそれぞれ、ＢＣＣＨ上でシステム情報メッセージを規則的にブロードキャストする。このメッセージは、ＵＭＴＳネットワークが属するパブリック・ランド・モバイル・ネットワーク（ＰＬＭＮ）用のＰＬＭＮアイデンティティを伝送するマスタ情報ブロックを含んでいる。ＰＬＭＮアイデンティティは、３桁のＭＣＣ値と、ＰＬＭＮに対する２または３桁のＭＮＣ値とからなる。システム情報メッセージおよびマスタ情報ブロックは、公的に利用可能な３ＧＰＰ  ＴＳ  ２５．３３１に記載されている。
【００３３】
端末は、ＷＬＡＮを求めてどのようにスキャンすべきかを示すスキャン・セッティングを用いて設定されうる。実施形態では、スキャン・セッティングは、下記のうちの１つに設定することができる。  
・パッシブ・スキャン  −  常にパッシブ・スキャンを実行する。  
・アクティブ・スキャン  −  パッシブ・スキャンを行なわずに、常にアクティブ・スキャンを実行する。  
・自動スキャン  −  国情報が利用可能な場合、パッシブ・スキャンを行なわずにアクティブ・スキャンを実行し、国情報が利用可能ではない場合、アクティブ・スキャンに先立ってパッシブ・スキャンを実行する。例えば、その端末が、１カ国でのみ動作しており、その国の周波数要件および送信電力要件が知られているのであれば、アクティブ・スキャンを用いることができる。
【００３４】
図５は、ＷＷＡＮから受信した国情報に基づいて、ＷＬＡＮを求めるスキャンが端末によって実行される処理５００の実施形態を示す。ＷＷＡＮは、例えばＣＤＭＡネットワーク、ＧＳＭネットワーク、ＵＭＴＳネットワーク、あるいはその他幾つかのセルラ・ネットワークのようなセルラ・ネットワークでありうる。
【００３５】
先ず、例えば電源が投入されるか、あるいはＷＬＡＮ有効範囲を喪失すると、端末は、ＷＷＡＮから国情報を受信する（ブロック５１２）。この国情報は、ＷＷＡＮによってシグナリング／オーバヘッド・メッセージでブロードキャストされたＭＣＣを備えうる。その後、端末は、ＷＷＡＮから受信した国情報に基づいて、ＷＬＡＮを求めるアクティブ・スキャンを実行する（ブロック５１４）。ブロック５１４におけるアクティブ・スキャンの場合、端末は、国情報に基づいて、周波数チャネル、送信電力レベル、周波数ホッピング・パターン、またはこれらの組み合わせを決定する（ブロック５１６）。そして、端末は、国情報に基づいて決定された送信電力レベルおよび周波数チャネルで、プローブ要求／アクセス・プローブを送信する（ブロック５１８）。アクセスの試みが失敗し、端末がプローブ応答を受信しない場合、この端末は、同じ周波数チャネル、あるいは、（もしあれば）端末が位置する国によってサポートされている別の周波数チャネルで、別のプローブ要求を送る。
【００３６】
実施形態では、端末は、全てのアクセスの試みに対して、パッシブ・スキャンを実行することなく、アクティブ・スキャンを実行する。別の実施形態では、端末は、スキャン・セッティングを用いて設定され、このスキャン・セッティングに従ってパッシブ・スキャンおよび／またはアクティブ・スキャンを実行する。端末は、（１）アクティブ・スキャン・セッティングに対して、および（２）国情報が利用可能である場合には自動スキャン・セッティングに対して、パッシブ・スキャンを実行することなくアクティブ・スキャンを実行することができる。端末は、（１）パッシブ・スキャン・セッティングに対して、および（２）国情報が利用可能ではない場合には自動スキャン・セッティングに対して、アクティブ・スキャンの前にパッシブ・スキャンを実行することができる。
【００３７】
別の実施形態では、端末は、位置判定を用いて国情報を取得する。端末は、全地球測位システム（ＧＰＳ）衛星、セルラ基地局、および／またはその他の送信機のための測定値に基づいて、独力で位置推定値を得ることができる。この位置推定値は、例えば、当該技術分野で知られているＧＰＳ、アドバンスト順方向リンク三辺測量術（Ａ−ＦＬＴ）、アップリンク到着時間（Ｕ−ＴＯＡ）、エンハンスト観測時間差（Ｅ−ＯＴＤ）、観察された到着時間差（ＯＴＤＯＡ）、エンハンスト・セルＩＤ、セルＩＤ等のような様々な技術を用いて導出される。端末は、その位置推定値を用いて、端末が位置している国を判定し、次に、その国の利用可能な周波数チャネルと最大送信電力レベルとを決定する。そして、端末は、パッシブ・スキャンを実行することなくアクティブ・スキャンを実行することができる。
【００３８】
別の実施形態では、端末は、ユーザ入力を介して国情報を得る。端末は、（１）電源投入時にセルラ・システムを獲得できない場合、（２）電源が投入される毎に、あるいは（３）その他の幾つかの方式によってユーザに国情報を問い合わせることができる。
【００３９】
本明細書で記述された技術はまた、例えばブルートゥース・ネットワークのようなＷＰＡＮのための端末による適切な動作を保証するために使用される。ブルートゥースは、２４００ＭＨｚから２４８３．５ＭＨｚ（フル・ブルートゥース帯域と呼ばれる）、あるいは、２４４６．５ＭＨｚから２４８３．５ＭＨｚ（限定ブルートゥース帯域と呼ばれる）まで２．４ＧＨｚ帯域で動作することができる。フル・ブルートゥース帯域は、米国を含むほとんどの国に適用可能であり、０〜７８のインデクスが与えられる７９の無線周波数（ＲＦ）チャネルに分割される。限定ブルートゥース帯域は、フランスで適用可能であり、０〜２２のインデクスが与えられる２３のＲＦチャネルに分割される。ＲＦチャネルはそれぞれ、幅１ＭＨｚである。
【００４０】
送信が、異なる時間スロット内のＲＦチャネルを横切ってホップできるように、ブルートゥースは、周波数ホッピングを適用する。各時間スロットは、ブルートゥースの場合６２５マイクロ秒である。７９ホップ・システムは、フル・ブルートゥース帯域用に使用され、２３ホップ・システムは、限定ブルートゥース帯域用に使用される。マスタ・デバイスと、アクティブに通信している最大７つのスレーブ・デバイスとから構成されるブルートゥース・ピコネットの各々について、ユニークな周波数ホッピング・パターンが、各時間スロットにおいて使用される特定のＲＦチャネルを示す。
【００４１】
ブルートゥース・デバイスは、ある国から別の国へ移動するかもしれない。例えば、ブルートゥース・ネットワーク１３０（端末１３２およびヘッドセット１３４からなる）、および／またはブルートゥース・ネットワーク１４０（端末１４２およびマウス１４４からなる）が、米国からフランスへ移動するかもしれない。ブルートゥース・ネットワークはそれぞれ、米国内にいる間、フル・ブルートゥース帯域において７９全てのＲＦチャネルを利用する７９ホップ・システムとして動作することができる。ブルートゥース・ネットワークはそれぞれ、フランスにいる間、限定ブルートゥース帯域において２３のＲＦチャネルを利用する２３ホップ・システムとして動作する必要がある。端末１３２および／または１４２は、電源投入されると、ＷＷＡＮからＭＣＣを受信する。そして、端末１３２および／または１４２は、適切なブルートゥース帯域を判定し、ＭＣＣに基づいて、適切な周波数ホッピング・パターンを生成することができる。これは、各ブルートゥース・ネットワークが、ブルートゥース・ネットワークが位置する国の規制要件に従ってそれぞれ動作することを保証する。
【００４２】
図６は、ＷＷＡＮを経由して取得した国情報に基づいて  ＷＬＡＮおよび／またはＷＰＡＮ上の動作を制御するために端末によって実行される処理６００の実施形態を示す。ＷＷＡＮは、例えばＣＤＭＡネットワーク、ＧＳＭネットワーク、ＵＭＴＳネットワーク等のようなセルラ・ネットワークでありうる。
【００４３】
端末は先ず、例えば電源が投入されると、ＷＷＡＮを経由して国情報を取得する（ブロック６１２）。この国情報は、ＷＷＡＮによってブロードキャストされたＭＣＣを含みうる。この国情報はまた、ＷＷＡＮを経由して取得される端末の位置推定値に基づいても取得される。この位置推定値は、ＷＷＡＮ内の基地局の測定値に基づいて、端末によって、および／または送信機によって計算される。この位置推定値はまた、端末についての測定値に基づいてＷＷＡＮによって計算され、端末へ送信されうる。
【００４４】
端末は、ＷＷＡＮを経由して取得された国情報に基づいて、ＷＬＡＮおよび／またはＷＰＡＮ上の動作を制御する（ブロック６１４）。例えば、端末は、国情報に基づいて、ＷＬＡＮおよび／またはＷＰＡＮに関する周波数範囲、送信電力レベル、周波数ホッピング・パターン等を決定することができる。ＩＥＥＥ  ８０２．１１を実装するＷＬＡＮの場合、端末は、国情報に基づいて、ＷＬＡＮを求めるアクティブ・スキャンを実行することができる。ブルートゥースを実装するＷＰＡＮの場合、端末は、ブルートゥース帯域を決定し、国情報に基づいて、周波数ホッピング・パターンを生成する。
【００４５】
図７は、例えばＷＷＡＮ（例えば、セルラ・ネットワーク）、ＷＬＡＮ、およびＷＰＡＮのような多くの無線ネットワークと通信することが可能な端末１３２の実施形態のブロック図を示す。送信パスにおいては、ＷＷＡＮ内の基地局、ブルートゥース・デバイス、またはＷＬＡＮ局へと端末１３２によって送られるデータが、エンコーダ７２２によって処理（例えば、フォーマット、符合化、インタリーブ）され、変調器（Ｍｏｄ）７２４によって更に処理（例えば、変調およびスクランブル）されて、データ・チップが生成される。一般に、エンコーダ７２２および変調器７２４による処理は、データが送られる無線ネットワーク（例えば、ｃｄｍａ２０００、ＧＳＭ、ＵＭＴＳ、ブルートゥース、８０２．１１ｂ、８０２．１１ｇ等）によって決定される。送信機（ＴＭＴＲ）７３２は、データ・チップを調整（例えば、アナログ変換、フィルタ、増幅、および周波数アップコンバート）し、アンテナ７３４を介して送信されるＲＦ出力信号を生成する。
【００４６】
受信パスにおいては、送信されたＲＦ信号が、１または複数の基地局、１または複数のブルートゥース・デバイス（例えば、ヘッドセット１３４）、および／または、１または複数のＷＬＡＮ局（例えば、アクセス・ポイント１２２）によって、アンテナ７３４によって受信され、受信機（ＲＣＶＲ）７３６に供給される。受信機７３６は、この受信した信号を調整（例えばフィルタ、増幅、周波数ダウンコンバート、およびデジタル化）して、データ・サンプルを生成する。復調器（Ｄｅｍｏｄ）７２６は、このデータ・サンプルを処理（例えば、デスクランブルおよび復調）し、シンボル推定値を得る。デコーダ７２８は、このシンボル推定値を処理（例えば、逆インタリーブ、および復号）し、復号されたデータを得る。一般に、復調器７２６およびデコーダ７２８による処理は、送信エンティティにおける変調器およびエンコーダによって行なわれた処理と相補的である。エンコーダ７２２、変調器７２４、復調器７２６、およびデコーダ７２８は、モデム・プロセッサ７２０によって実現することができる。
【００４７】
コントローラ／プロセッサ７４０は、端末１３２における様々な処理ユニットの動作を指示する。メモリ７４２は、端末１３２のためのプログラム・コードおよびデータを格納する。コントローラ／プロセッサ７４０は、図５および図６内の処理５００および／または６００を実施することができる。メモリ７４２は、例えば８０２．１１ベースのネットワーク、ブルートゥース・ネットワーク等のような１または複数の無線ネットワークのための情報（ネットワーク情報）を格納することができる。ネットワーク情報は、異なる国／規制領域では異なる周波数チャネル、周波数範囲、送信電力レベル、および／またはその他のパラメータ（例えば、表１および表２）を示すことができる。メモリ７４２はまた、ＭＣＣ値および関連する国からなる表をも格納することができる。メモリ７４２はまた、端末１３２のためのスキャン・セッティングをも格納することができる。
【００４８】
本明細書で記載された技術は、様々な手段によって実現されうる。例えば、これらの技術は、ハードウェア、ファームウェア、ソフトウェア、あるいはこれらの組み合わせで実現されうる。ハードウェアによる実現の場合、これら技術は、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能ゲート・アレー（ＦＰＧＡ）、プロセッサ、コントローラ、マイクロ・コントローラ、マイクロプロセッサ、電子デバイス、本明細書に記載の機能を実行するように設計されたその他の電子ユニット、またはこれらの組み合わせ内で実現される。
【００４９】
ファームウェアおよび／またはソフトウェアによる実現の場合、これら技術は、本明細書に記載の機能を実行するモジュール（例えば、手順、関数等）を用いて実現されうる。ソフトウェア・コードがメモリ（例えば、図７のメモリ７４２）に格納され、プロセッサ（例えば、プロセッサ７４０）によって実行されうる。このメモリはプロセッサの内部または外部に実装されうる。
【００５０】
開示した実施形態の前述の記載は、何れも当業者であっても、本発明を製造または利用できるように提供される。これら実施形態に対する様々な変形が、当業者に容易に明らかになり、本明細書で定義された一般的な原理は、本発明の精神および範囲から逸脱することなく、その他の実施形態にも適用されうる。従って、本発明は、本明細書で示された実施形態に制限されたようには意図されておらず、本明細書で示された原理および新規な特徴と一致する最も広いスコープを与えられることになっている。
【図面の簡単な説明】
【００５１】
【図１】図１は、様々な無線ネットワークの配置を示す。
【図２】図２は、ＷＬＡＮの送信スケジュールを示す。
【図３】図３は、ＷＬＡＮのビーコン・フレームを示す。
【図４】図４は、ＣＤＭＡネットワークにおける拡張システム・パラメータ・メッセージにおけるＭＣＣの送信を示す。
【図５】図５は、ＷＷＡＮから受信した国情報に基づいて、ＷＬＡＮを求めるスキャンをするための処理を示す。
【図６】図６は、ＷＷＡＮを経由して取得された国情報に基づいて、ＷＬＡＮおよび／またはＷＰＡＮにおける端末の動作を制御するための処理を示す。
【図７】図７は、端末のブロック図を示す。
【図１】
2009533905.tif 000005
【図２】
2009533905.tif 000006
【図３】
2009533905.tif 000007
【図４】
2009533905.tif 000008
【図５】
2009533905.tif 000009
【図６】
2009533905.tif 000010
【図７】
2009533905.tif 000011
【国際調査報告】
2009533905.tif 000012
2009533905.tif 000013